(57)【特許請求の範囲】
【請求項１】
空間を包囲した内部に土石類を詰めて使用される土石詰め用組枠を組み立てるための組枠用枠体であって、
第１垂直連結枠体と第２垂直連結枠体と第１回転連結枠体と第２回転連結枠体とを有し、
前記第１垂直連結枠体、前記第２垂直連結枠体、前記第１回転連結枠体および前記第２回転連結枠体は、それぞれ平板状であって同一の高さを有し、上部側縁に第１係合部を有し、下部側縁に前記第１係合部と係合可能な第２係合部を有し、前記第２係合部を前記第１係合部に係合して互いに上下方向に連結可能に構成されており、
前記第１垂直連結枠体は、一方の左右側縁に一方の枠平面に対して垂直方向に突出した第１垂直雄継手を有し、前記一方の左右側縁の他方の枠平面に他の前記第１垂直連結枠体の前記第１垂直雄継手と係合して他の前記第１垂直連結枠体と垂直に接続可能な第１垂直雌継手を有し、他方の左右側縁に第１接続継手を有し、
前記第２垂直連結枠体は、前記第１垂直連結枠体の前記第１垂直雄継手と左右対称となる位置で左右側縁の枠平面に対して垂直方向に突出し前記第１垂直雌継手と係合して前記第１垂直連結枠体と垂直に接続可能な第２垂直雄継手を有し、第２垂直雄継手側の反対側の枠平面に前記第１垂直連結枠体の前記第１垂直雄継手または他の前記第２垂直連結枠体の前記第２垂直雄継手と係合して前記第１垂直連結枠体または他の前記第２垂直連結枠体と垂直に接続可能な第２垂直雌継手を有し、第２垂直雄継手側の反対側の左右側縁に前記第１接続継手と係合して前記第１垂直連結枠体と左右方向で接続可能な第２接続継手を有し、
前記第１回転連結枠体は、一方の左右側縁に、上下方向の中心軸線を有する第１回転係合部と、前記第１垂直連結枠体の前記第１垂直雄継手または前記第２垂直連結枠体の前記第２垂直雄継手と係合して前記第１垂直連結枠体または前記第２垂直連結枠体と垂直に接続可能な第３垂直雌継手を有し、他方の左右側縁に前記第２垂直連結枠体の第２接続継手と係合して前記第２垂直連結枠体と左右方向で接続可能な第３接続継手を有し、
前記第２回転連結枠体は、一方の左右側縁に、前記第１回転係合部と同一の中心軸線で回転可能に係合する第２回転係合部と、前記第１垂直連結枠体の前記第１垂直雄継手または前記第２垂直連結枠体の前記第２垂直雄継手と係合して前記第１垂直連結枠体または前記第２垂直連結枠体と垂直に接続可能な第４垂直雌継手を有し、第４垂直雌継手側の反対側の左右側縁に前記第１垂直連結枠体の前記第１接続継手または前記第１回転連結枠体の第３接続継手と係合して前記第１垂直連結枠体または前記第１回転連結枠体と左右方向で接続可能な第４接続継手を有することを、
特徴とする組枠用枠体。
【請求項２】
前記第１回転係合部は軸部から成り、前記第２回転係合部は、前記第２回転連結枠体に設けられた突出部から成り、前記突出部は上下方向に貫通して前記軸部を挿入可能な係合孔を有することを、
特徴とする請求項１記載の組枠用枠体。
【請求項３】
さらに延長枠体を有し、
前記延長枠体は、平板状であって、前記第１垂直連結枠体、前記第２垂直連結枠体、前記第１回転連結枠体および前記第２回転連結枠体と同一の高さを有し、
一方の左右側縁に前記第２垂直連結枠体の前記第２接続継手または前記第２回転連結枠体の前記第４接続継手と係合して前記第２垂直連結枠体または前記第２回転連結枠体と左右方向で接続可能な第１延長継手を有し、他方の左右側縁に前記第１垂直連結枠体の前記第１接続継手または前記第１回転連結枠体の前記第３接続継手と係合して前記第１垂直連結枠体または前記第１回転連結枠体と左右方向で接続可能な第２延長継手を有することを、
特徴とする請求項１または２記載の組枠用枠体。
【請求項４】
さらに積用部材を有し、
前記積用部材は細長く、前記第１垂直連結枠体、前記第２垂直連結枠体、前記第１回転連結枠体または前記第２回転連結枠体の上部側縁と水平に交差してその上部側縁と係合可能な上部係合部と、前記第１垂直連結枠体、前記第２垂直連結枠体、前記第１回転連結枠体または前記第２回転連結枠体の下部側縁と水平に交差してその下部側縁と係合可能な下部係合部とをそれぞれ有することを、
特徴とする請求項１、２または３記載の組枠用枠体。
【発明の詳細な説明】
【技術分野】
【０００１】
本発明は、空間を包囲した内部に土石類を詰めて使用される土石詰め用組枠を組み立てるための組枠用枠体に関する。
【背景技術】
【０００２】
近年、河川の護岸、護床、制水、湖沼の護岸、海岸の浸食や流砂の防止、農山地の堰堤や土留、道路の法面や路肩の保護、災害復旧工事、漁礁等として、透孔を有する複数の平面枠体を中空枠状に連結して形成された土石詰め用組枠が使用されている。この土石詰め用組枠は、中空枠の内部に土や石を詰めて使用され、保管、運搬、施工性、耐久性等に優れるとともに、現存植生物の保護や育成等の自然環境保全にも優れている。
【０００３】
このような土石詰め用組枠として、従来、各平面枠体を連結部材で連結するもの（例えば、特許文献１参照）や、一方の枠体の雄継手と他方の枠体の雌継手とが回動自在に係合するよう構成されたもの（例えば、特許文献２参照）、枠体と一体の継手で連結するもの（例えば、特許文献３参照）がある。
【０００４】
【特許文献１】特開２０００−６４２４８号公報
【特許文献２】特開２００１−２４８１３６号公報
【特許文献３】特開２００５−３３６９７３号公報
【発明の開示】
【発明が解決しようとする課題】
【０００５】
しかしながら、特許文献１に記載の土石詰め用組枠の組枠用枠体は、部品点数が多くなるため、組立に手間取るとともに、連結部材の取り付けを忘れやすく、組立不良を生じる可能性が高いという課題があった。特許文献２記載の土石詰め用組枠の組枠用枠体は、一箇所の雄継手に最大で２つの枠体の雌継手しか係合できないため、枠体を十字に連結することができず、組立可能な平面形状のパターンに制限があるという課題があった。特許文献３記載の土石詰め用組枠の組枠用枠体は、直線に沿って施工するのは容易であるが、曲線に沿った施工が難しいという課題があった。
【０００６】
本発明は、このような課題に着目してなされたもので、より多くのパターンの平面形状に組立可能であって、曲線に沿った施工も可能であり、容易かつ確実に組み立て可能な土石詰め用組枠の組枠用枠体を提供することを目的としている。
【課題を解決するための手段】
【０００７】
上記目的を達成するために、本発明に係る組枠用枠体は、空間を包囲した内部に土石類を詰めて使用される土石詰め用組枠を組み立てるための組枠用枠体であって、第１垂直連結枠体と第２垂直連結枠体と第１回転連結枠体と第２回転連結枠体とを有し、前記第１垂直連結枠体、前記第２垂直連結枠体、前記第１回転連結枠体および前記第２回転連結枠体は、それぞれ平板状であって同一の高さを有し、上部側縁に第１係合部を有し、下部側縁に前記第１係合部と係合可能な第２係合部を有し、前記第２係合部を前記第１係合部に係合して互いに上下方向に連結可能に構成されており、前記第１垂直連結枠体は、一方の左右側縁に一方の枠平面に対して垂直方向に突出した第１垂直雄継手を有し、前記一方の左右側縁の他方の枠平面に他の前記第１垂直連結枠体の前記第１垂直雄継手と係合して他の前記第１垂直連結枠体と垂直に接続可能な第１垂直雌継手を有し、他方の左右側縁に第１接続継手を有し、前記第２垂直連結枠体は、前記第１垂直連結枠体の前記第１垂直雄継手と左右対称となる位置で左右側縁の枠平面に対して垂直方向に突出し前記第１垂直雌継手と係合して前記第１垂直連結枠体と垂直に接続可能な第２垂直雄継手を有し、第２垂直雄継手側の反対側の枠平面に前記第１垂直連結枠体の前記第１垂直雄継手または他の前記第２垂直連結枠体の前記第２垂直雄継手と係合して前記第１垂直連結枠体または他の前記第２垂直連結枠体と垂直に接続可能な第２垂直雌継手を有し、第２垂直雄継手側の反対側の左右側縁に前記第１接続継手と係合して前記第１垂直連結枠体と左右方向で接続可能な第２接続継手を有し、前記第１回転連結枠体は、一方の左右側縁に、上下方向の中心軸線を有する第１回転係合部と、前記第１垂直連結枠体の前記第１垂直雄継手または前記第２垂直連結枠体の前記第２垂直雄継手と係合して前記第１垂直連結枠体または前記第２垂直連結枠体と垂直に接続可能な第３垂直雌継手を有し、他方の左右側縁に前記第２垂直連結枠体の第２接続継手と係合して前記第２垂直連結枠体と左右方向で接続可能な第３接続継手を有し、前記第２回転連結枠体は、一方の左右側縁に、前記第１回転係合部と同一の中心軸線で回転可能に係合する第２回転係合部と、前記第１垂直連結枠体の前記第１垂直雄継手または前記第２垂直連結枠体の前記第２垂直雄継手と係合して前記第１垂直連結枠体または前記第２垂直連結枠体と垂直に接続可能な第４垂直雌継手を有し、第４垂直雌継手側の反対側の左右側縁に前記第１垂直連結枠体の前記第１接続継手または前記第１回転連結枠体の第３接続継手と係合して前記第１垂直連結枠体または前記第１回転連結枠体と左右方向で接続可能な第４接続継手を有することを、特徴とする。
【０００８】
本発明に係る組枠用枠体は、第１〜第４垂直雌継手を第１、第２垂直雄継手に係合することにより、第１垂直連結枠体、第２垂直連結枠体、第１回転連結枠体および第２回転連結枠体を、第１垂直連結枠体および第２垂直連結枠体と垂直に連結することができる。また、第２、第４接続継手を第１、第３接続継手に係合することにより、第２垂直連結枠体および第２回転連結枠体を、第１垂直連結枠体および第１回転連結枠体と左右方向に連結することができる。さらに、第１回転係合部と第２回転係合部とを係合することにより、第１回転連結枠体と第２回転連結枠体とを上下方向の中心軸線を中心として互いに回転可能に連結することができる。
【０００９】
このように、本発明に係る組枠用枠体は、垂直、左右方向、および回転の連結を様々に組み合わせることにより、より多くの様々なパターンの平面形状に組み立てることができる。例えば、第１回転係合部と第２回転係合部とを係合して第２回転連結枠体と第１回転連結枠体とを左右方向に連結し、連結した第１回転連結枠体および第２回転連結枠体に、それぞれ第１垂直連結枠体または第２垂直連結枠体を垂直に連結することにより、平面枠体を十字に連結することができる。また、第２回転連結枠体と第１回転連結枠体とのなす角度を調整することにより、任意の曲率を有するカーブ状の平面形状に組み立てることもできる。
【００１０】
第１〜第４垂直雌継手と第１、第２垂直雄継手、第２、第４接続継手と第１、第３接続継手、第１回転係合部と第２回転係合部の組み合わせにより、第１垂直連結枠体、第２垂直連結枠体、第１回転連結枠体および第２回転連結枠体を連結することができ、連結部材を必要としないため、容易かつ確実に組み立てることができる。組み立てた土石詰め用組枠には、空間を包囲した内部に土石類を詰め、河川の護岸、護床、制水、湖沼の護岸、海岸の浸食や流砂の防止、農山地の堰堤や土留、道路の法面や路肩の保護、災害復旧工事、漁礁等に使用することができる。土石類は、内部に詰めてそれらの用途に使用できれば、土砂、石、その他いかなるものであってもよい。
【００１１】
本発明に係る組枠用枠体で、前記第１回転係合部は軸部から成り、前記第２回転係合部は、前記第２回転連結枠体に設けられた突出部から成り、前記突出部は上下方向に貫通して前記軸部を挿入可能な係合孔を有することが好ましい。この場合、係合孔に軸部を挿入し、第２回転連結枠体に対して第１回転連結枠体を回転可能に連結することができる。このため、第２回転連結枠体と第１回転連結枠体とのなす角度を、任意の角度に調整することができる。
【００１２】
本発明に係る土石詰め用組枠では、さらに延長枠体を有し、前記延長枠体は、平板状であって、前記第１垂直連結枠体、前記第２垂直連結枠体、前記第１回転連結枠体および前記第２回転連結枠体と同一の高さを有し、一方の左右側縁に前記第２垂直連結枠体の前記第２接続継手または前記第２回転連結枠体の前記第４接続継手と係合して前記第２垂直連結枠体または前記第２回転連結枠体と左右方向で接続可能な第１延長継手を有し、他方の左右側縁に前記第１垂直連結枠体の前記第１接続継手または前記第１回転連結枠体の前記第３接続継手と係合して前記第１垂直連結枠体または前記第１回転連結枠体と左右方向で接続可能な第２延長継手を有することが好ましい。
この場合、延長枠体を、第１垂直連結枠体または第１回転連結枠体と、第２垂直連結枠体または第２回転連結枠体との間に連結することにより、連結方向の長さを調節することができる。延長枠体の左右方向の長さを短くすることにより、細かく長さ調整をすることができる。カーブの形状に合わせて組み立てるときには、カーブの内側の長さと外側の長さとが異なるため、カーブの外側に延長枠体を使用することによりカーブの形状に容易に合わせることができる。カーブの外側に使用する延長枠体の数を調整することにより、様々な曲率を有するカーブに対応することができる。
【００１３】
本発明に係る土石詰め用組枠は、さらに積用部材を有し、前記積用部材は細長く、前記第１垂直連結枠体、前記第２垂直連結枠体、前記第１回転連結枠体または前記第２回転連結枠体の上部側縁と水平に交差してその上部側縁と係合可能な上部係合部と、前記第１垂直連結枠体、前記第２垂直連結枠体、前記第１回転連結枠体または前記第２回転連結枠体の下部側縁と水平に交差してその下部側縁と係合可能な下部係合部とをそれぞれ有することが好ましい。
この場合、積用部材により、上下の平面枠体を固定して積み上げることができる。このため、例えばカーブに合わせて積み上げるときなど、平面枠体が上下に重ならず、垂直雌継手と垂直雄継手とを係合することができないときであっても、積用部材により上下の平面枠体を固定することができ、組立後の形状を安定させることができる。積み上げたときの勾配は任意に設定可能であり、例えば５分や１割の勾配になるよう、あらかじめ複数の下部係合部を所定の位置に設けておくことが好ましい。
【発明の効果】
【００１４】
本発明によれば、より多くの様々なパターンの平面形状に組立可能で、曲線に沿った施工も可能であり、容易かつ確実に組み立て可能な土石詰め用組枠を提供することができる。
【発明を実施するための最良の形態】
【００１５】
以下、図面に基づき本発明の実施の形態について説明する。
図１乃至図１１に示すように、本発明の実施の形態の組枠用枠体は、第１垂直連結枠体１１と第２垂直連結枠体１２と第１回転連結枠体１３と第２回転連結枠体１４と延長枠体１５とから成る５種類の平面枠体１と、積用部材１６とから成っている。平面枠体１および積用部材１６は、空間を包囲した内部に土石類を詰めて使用される土石詰め用組枠を組み立てるために用いられる。
【００１６】
図２乃至図５に示すように、第１垂直連結枠体１１、第２垂直連結枠体１２、第１回転連結枠体１３および第２回転連結枠体１４は、鋳造された鋳鉄から成り、十字の中桟を有する矩形枠状に形成され、４つの開口を有している。第１垂直連結枠体１１、第２垂直連結枠体１２、第１回転連結枠体１３および第２回転連結枠体１４は、それぞれ平板状であって同一の高さを有し、上部側縁に第１係合部２１を、下部側縁に第２係合部２２を有している。第１係合部２１は、表面側に向かって突出するよう、表面に４つ設けられている。第１係合部２１は、矩形状の断面を有し、先端が平坦面を成すよう形成されている。
【００１７】
第２係合部２２は、下部側縁から下方に突出して２つ設けられている。図８（ａ）に示すように、第２係合部２２は、第１係合部２１の位置で上部側縁を挟んで係合可能に、第１係合部２１での厚みとほぼ同じ間隔を開けて互いに平行に設けられた２つの矩形板から成っている。これにより、第２係合部２２は、第１係合部２１を挿入しやすく、かつ第１係合部２１が抜けにくくなっている。第１垂直連結枠体１１、第２垂直連結枠体１２、第１回転連結枠体１３および第２回転連結枠体１４は、第２係合部２２を第１係合部２１に係合して、同一面内で互いに上下方向に連結可能に構成されている。
【００１８】
図２および図３に示すように、第１垂直連結枠体１１および第２垂直連結枠体１２は、一方の左右側縁の上部に、それぞれ第１、第２垂直雄継手２３を有している。垂直雄継手２３は、裏面に固定され、裏面に対して垂直方向に突出するよう設けられている。第２垂直連結枠体１２の第２垂直雄継手２３は、第１垂直連結枠体１１の第１垂直雄継手２３と左右対称となる位置に設けられている。垂直雄継手２３は、板状の同じ形状で上下方向に伸びており、図８（ｂ）に示すように、先端に厚みが大きい引抜け防止突出部２３ａと、厚み方向に突出した固定凸部２３ｂとを有している。また、垂直雄継手２３は、引抜け防止突出部２３ａの先端に、先端側に突出した落下防止凸部２３ｃを有している。
【００１９】
図２乃至図５に示すように、第１垂直連結枠体１１、第２垂直連結枠体１２、第１回転連結枠体１３および第２回転連結枠体１４は、一方の左右側縁の上部に、それぞれ第１、第２、第３、第４垂直雌継手２４を有している。また、第２垂直連結枠体１２は、一方の左右側縁の中央部にも、垂直雌継手２４を有している。第１垂直連結枠体１１および第２垂直連結枠体１２の垂直雌継手２４は、表面に設けられ、第１回転連結枠体１３および第２回転連結枠体１４の垂直雌継手２４は、表面および裏面の両面に設けられている。垂直雌継手２４は、箱状で、それぞれの面に対して突出して設けられ、上方および一方の側方側が開口して、垂直雄継手２３を上方から挿入して係合可能になっている。
【００２０】
図８（ｂ）に示すように、垂直雌継手２４は、垂直雄継手２３を挿入したとき、引抜け防止突出部２３ａおよび固定凸部２３ｂに対応する位置に、それぞれ引抜け防止凹部２４ａおよび固定凹部２４ｂを有し、挿入した垂直雄継手２３が抜けるのを防ぐようになっている。また、垂直雌継手２４は、垂直雄継手２３を挿入したとき、落下防止凸部２３ｃに対応する位置に落下防止凹部２４ｃを有し、垂直雄継手２３に対して垂直方向にずれて外れるのを防ぐようになっている。第１垂直連結枠体１１、第２垂直連結枠体１２、第１回転連結枠体１３および第２回転連結枠体１４は、垂直雌継手２４を垂直雄継手２３に係合して、第１垂直連結枠体１１および第２垂直連結枠体１２と垂直に連結可能に構成されている。
【００２１】
図２および図４に示すように、第１垂直連結枠体１１および第１回転連結枠体１３は、他方の左右側縁に、第１、第３接続継手２５を有している。第１、第３接続継手２５は、他方の左右側縁に沿って、他方の左右側縁側に開口した溝状に形成されている。第１、第３接続継手２５は、上部が開放され、下部が閉塞されている。第１、第３接続継手２５は、溝の深部に広い幅を有する引抜け防止固定凹部２５ａを有している。
【００２２】
図３および図５に示すように、第２垂直連結枠体１２および第２回転連結枠体１４は、他方の左右側縁に、第２、第４接続継手２６を有している。第２、第４接続継手２６は、他方の左右側縁に沿って、他方の左右側縁側に突出するよう設けられ、第１、第３接続継手２５に上方から挿入して係合可能になっている。第２、第４接続継手２６は、第１、第３接続継手２５に挿入したとき、引抜け防止固定凹部２５ａに対応する上部および下部の位置に、引抜け防止固定凸部２６ａを有し、第１、第３接続継手２５から抜けるのを防ぐようになっている。第２垂直連結枠体１２および第２回転連結枠体１４は、第２、第４接続継手２６を第１、第３接続継手２５に係合して、第１垂直連結枠体１１および第１回転連結枠体１３と同一面内で左右方向に連結可能に構成されている。
【００２３】
図４に示すように、第１回転連結枠体１３は、一方の左右側縁の中央部に、回転連結部（第１回転係合部）２７を有している。回転連結部２７は、表面に固定され、一方の左右側縁側に突出するよう設けられている。回転連結部２７は、上下方向の中心軸線を有し、回転軸部（軸部）２７ａと挿入軸部（軸部）２７ｂと離脱防止部２７ｃとを有している。回転軸部２７ａは、断面形状が円形を成し、回転連結部２７の上部に設けられている。挿入軸部２７ｂは、回転軸部２７ａの径より小さい径を有し、回転軸部２７ａの上部に、回転軸部２７ａと同軸で設けられている。離脱防止部２７ｃは、回転軸部２７ａの下端の径と同じ径を有する円柱形状を成し、挿入軸部２７ｂの上部に、回転軸部２７ａおよび挿入軸部２７ｂと同軸で設けられている。
【００２４】
図５に示すように、第２回転連結枠体１４は、一方の左右側縁の中央部に、突出部（第２回転係合部）２８を有している。突出部２８は、表面に固定され、一方の左右側縁側に突出するよう設けられている。突出部２８は、先端に、上下方向に貫通した係合孔２８ａと、係合孔２８ａの円周の一部を切り欠いて係合孔２８ａを外部に連通する切欠部２８ｂとを有している。係合孔２８ａは、内周の断面形状が円形を成し、回転軸部２７ａを挿入可能に、回転軸部２７ａの上端の径より大きく、回転軸部２７ａの下端の径より小さい内径を有している。切欠部２８ｂは、切り欠きの幅が、回転軸部２７ａの上端の径より小さく、挿入軸部２７ｂの径より大きくなっている。これにより、第２回転連結枠体１４は、切欠部２８ｂを通して挿入軸部２７ｂを係合孔２８ａに挿入した後、下方に動かして係合孔２８ａに回転軸部２７ａを挿入することにより、図１に示すように、第１回転連結枠体１３に回転軸部２７ａを中心として回転可能に連結するよう構成されている。
【００２５】
図６に示すように、延長枠体１５は、鋳造された鋳鉄から成り、縦長の矩形状を成している。延長枠体１５は、第１垂直連結枠体１１、第２垂直連結枠体１２、第１回転連結枠体１３および第２回転連結枠体１４より長さが短く、それらと同じ高さを有している。延長枠体１５は、一方の左右側縁に第１延長継手１５ａを有し、他方の左右側縁に第２延長継手１５ｂを有している。第１延長継手１５ａは、第２、第４接続継手２６と同じ形状を成し、第１、第３接続継手２５に上方から挿入して係合可能になっている。第２延長継手１５ｂは、第１、第３接続継手２５と同じ形状を成し、第２、第４接続継手２６および第１延長継手１５ａを上方から挿入して係合可能になっている。これにより、延長枠体１５は、第１延長継手１５ａを第１、第３接続継手２５に係合して、第１垂直連結枠体１１および第１回転連結枠体１３と同一面内で左右方向に連結可能に構成され、第２延長継手１５ｂを第２、第４接続継手２６に係合して、第２垂直連結枠体１２および第２回転連結枠体１４と同一面内で左右方向に連結可能に構成されている。また、延長枠体１５は、第１延長継手１５ａを第２延長継手１５ｂに係合して、他の延長枠体１５と同一面内で左右方向に連結可能に構成されている。
なお、具体的な一例で、第１垂直連結枠体１１、第２垂直連結枠体１２、第１回転連結枠体１３、第２回転連結枠体１４および延長枠体１５は、厚みが３〜８ｍｍである。
【００２６】
図７に示すように、積用部材１６は、鋳造された鋳鉄から成り、細長い棒状を成している。積用部材１６は、１対の上部係合部１６ａと２つの下部係合部１６ｂと補強部１６ｃと当接部１６ｄとを有している。なお、積用部材１６は、一端部１６ｅ、中央部１６ｆおよび他端部１６ｇの３つに分解可能になっている。各上部係合部１６ａは、積用部材１６の両端に設けられている。各上部係合部１６ａは、下方に向かって開口し、積用部材１６の長さ方向に対して垂直横方向に沿って伸びた溝状に形成されている。各上部係合部１６ａは、各平面枠体１の上部側縁に対して水平面内で垂直に交差するよう、各平面枠体１の上部側縁に上方から係合可能になっている。
【００２７】
各下部係合部１６ｂは、積用部材１６の一端部１６ｅの上部に、長さ方向に沿って所定の間隔を開けて設けられている。各下部係合部１６ｂは、上方に向かって開口し、積用部材１６の長さ方向に対して垂直横方向に沿って伸びた溝状に形成されている。各下部係合部１６ｂは、各平面枠体１の下部側縁に対して水平面内で垂直に交差するよう、各平面枠体１の下部側縁に下方から係合可能になっている。補強部１６ｃは、トラス状で、積用部材１６の一端部１６ｅの下方鉛直面内に設けられている。当接部１６ｄは、一端部１６ｅ側の上部係合部１６ａの鉛直下方で、補強部１６ｃの下端部に設けられている。当接部１６ｄは、積用部材１６の長さ方向に対して垂直横方向に沿って伸びた板状を成している。当接部１６ｄは、一端部１６ｅ側の上部係合部１６ａに平面枠体１の上部側縁を係合したとき、係合位置の下方で、その平面枠体１の一部に当接するよう設けられている。
【００２８】
次に、作用について説明する。
本発明の実施の形態の組枠用枠体は、枠状の土石詰め用組枠を組み立てて、複数の平面枠体１で側方を囲まれた中空枠の内部に、土や石などの土石類を詰めて使用される。
図１に示すように、本発明の実施の形態の組枠用枠体は、垂直雌継手２４を垂直雄継手２３に係合することにより、第１垂直連結枠体１１、第２垂直連結枠体１２、第１回転連結枠体１３および第２回転連結枠体１４を、第１垂直連結枠体１１および第２垂直連結枠体１２と垂直に連結することができる。また、第２、第４接続継手２６を第１、第３接続継手２５に係合することにより、第２垂直連結枠体１２および第２回転連結枠体１４を、第１垂直連結枠体１１および第１回転連結枠体１３と左右方向に連結することができる。さらに、突出部２８の係合孔２８ａに回転軸部２７ａを挿入することにより、第１回転連結枠体１３と第２回転連結枠体１４とを、回転軸部２７ａを中心として互いに回転可能に連結することができる。
【００２９】
また、延長枠体１５を、第１垂直連結枠体１１または第１回転連結枠体１３と、第２垂直連結枠体１２または第２回転連結枠体１４との間に連結することにより、連結方向の長さを調節することができる。延長枠体１５の一方の左右側縁から他方の側方縁部までの幅が小さいため、細かく長さ調整をすることができる。
【００３０】
本発明の実施の形態の組枠用枠体は、垂直、左右方向、回転および延長枠体１５の連結を様々に組み合わせることにより、より多くの様々なパターンの平面形状に組み立てることができる。例えば、係合孔２８ａに回転軸部２７ａおよび挿入軸部２７ｂを挿入して第２回転連結枠体１４と第１回転連結枠体１３とを左右方向に連結し、連結した第１回転連結枠体１３および第２回転連結枠体１４に、それぞれ第１垂直連結枠体１１または第２垂直連結枠体１２を垂直に連結することにより、平面枠体１を十字に連結することができ、図９（ａ）に示すような平面形状に組み立てることができる。
【００３１】
また、カーブの形状に合わせて組み立てるとき、第２回転連結枠体１４と第１回転連結枠体１３とのなす角度を調整することにより、任意の曲率を有するカーブ状の平面形状に組み立てることもできる。この場合、図９（ｂ）に示すように、カーブの内側の長さと外側の長さとが異なるため、カーブの外側に延長枠体１５を使用することによりカーブの形状に容易に合わせることができる。また、カーブの外側に使用する延長枠体１５の数を調整することにより、様々な曲率を有するカーブに対応することができる。
【００３２】
本発明の実施の形態の組枠用枠体は、第１回転連結枠体１３の回転軸部２７ａを第２回転連結枠体１４の係合孔２８ａに挿入したとき、回転軸部２７ａに対して係合孔２８ａを下方に動かすと、回転軸部２７ａが係合孔２８ａに嵌って固定されるため、第２回転連結枠体１４に対して第１回転連結枠体１３を固定することができる。このため、第２回転連結枠体１４と第１回転連結枠体１３とのなす角度を、任意の角度に調整して固定することができ、組立後の形状を安定させることができる。
【００３３】
本発明の実施の形態の組枠用枠体は、平面枠体１を上下に積み上げるとき、図１０に示すように、下方の平面枠体１の第１係合部２１に、上方の平面枠体１の第２係合部２２を係合して積み上げることができる。このとき、積み上げたときに５分や１割の勾配になるよう、あらかじめ第１係合部２１の間隔を設定しておくことにより、容易に５分や１割の勾配に積み上げることができる。
【００３４】
また、図１１に示すように、平面枠体１が上下に重ならない位置に積用部材１６を使用して、上下の平面枠体１を固定して多段に積み上げることもできる。積用部材１６の各上部係合部１６ａを下方の平面枠体１の上部側縁に係合し、下部係合部１６ｂに上方の平面枠体１の下部側縁を係合することにより、平面枠体１をより強固に積み上げることができる。この場合、例えばカーブに合わせて積み上げるときなど、平面枠体１が上下に重ならず、垂直雌継手２４と垂直雄継手２３とを係合することができないときであっても、積用部材１６により上下の平面枠体１を固定することができ、組立後の形状を安定させることができる。また、トラス状の補強部１６ｃにより、強度を高めることができ、平面枠体１を積み上げたときにその重量で破壊されるのを防止することができる。積み上げたときに５分や１割の勾配になるよう、あらかじめ複数の下部係合部１６ｂを所定の位置に設けておくことにより、容易に５分や１割の勾配に積み上げることができる。
【００３５】
本発明の実施の形態の組枠用枠体は、第１〜第４垂直雌継手２４と第１、第２垂直雄継手２３、第２、第４接続継手２６と第１、第３接続継手２５、突出部２８の係合孔２８ａと回転軸部２７ａの組み合わせにより５種類の平面枠体１を連結することができ、連結部材等の他の部材を必要としないため、容易かつ確実に組み立てることができる。また、５種類の平面枠体１および積用部材１６が鋳造された鋳鉄から成るため、リサイクル可能で、鉄製のものよりも軽く、腐食にも強い。このため、海や川などでも使用できる。また、表面をザラザラに加工することにより、藻を繁殖させることもでき、植生が容易である。
【００３６】
本発明の実施の形態の組枠用枠体は、保管、運搬、施工性、耐久性等に優れるとともに、現存植生物の保護や育成等の自然環境保全にも優れているため、河川の護岸、護床、制水、湖沼の護岸、海岸の浸食や流砂の防止、農山地の堰堤や土留、道路の法面や路肩の保護、災害復旧工事、漁礁、土石流や火砕流の砂防堰堤、風力発電装置の基礎等として使用することができる。
【図面の簡単な説明】
【００３７】
【図１】本発明の実施の形態の組枠用枠体の基本的な組立状態を示す平面図である。
【図２】図１に示す組枠用枠体の第１垂直連結枠体を示す（ａ）中央より左側の左側面図、（ｂ）正面図、（ｃ）垂直雄継手、垂直雌継手を省略した右側面図、（ｄ）第１係合部を省略した平面図である。
【図３】図１に示す組枠用枠体の第２垂直連結枠体を示す（ａ）中央より左側の左側面図、（ｂ）正面図、（ｃ）右側面図、（ｄ）第１係合部を省略した平面図である。
【図４】図１に示す組枠用枠体の第１回転連結枠体を示す（ａ）中央より左側の左側面図、（ｂ）正面図、（ｃ）垂直雄継手、垂直雌継手を省略した右側面図、（ｄ）第１係合部を省略した平面図である。
【図５】図１に示す組枠用枠体の第２回転連結枠体を示す（ａ）中央より左側の左側面図、（ｂ）正面図、（ｃ）右側面図、（ｄ）第１係合部を省略した平面図である。
【図６】図１に示す組枠用枠体の延長枠体を示す（ａ）中央より左側の左側面図、（ｂ）正面図、（ｃ）右側面図、（ｄ）平面図である。
【図７】図１に示す組枠用枠体の積用部材を示す（ａ）正面図、（ｂ）下部係合部を省略した右側面図、（ｃ）平面図である。
【図８】図１に示す組枠用枠体の（ａ）第１係合部と第２係合部との係合状態を示す拡大断面図、（ｂ）垂直雄継手と垂直雌継手との係合状態を示す拡大断面図である。
【図９】図１に示す組枠用枠体の（ａ）使用状態を示す平面図、（ｂ）カーブ形状の使用状態を示す平面図である。
【図１０】図１に示す組枠用枠体の、多段に積み上げたときの使用状態を示す（ａ）平面図、（ｂ）拡大側面図である。
【図１１】図１に示す組枠用枠体の、積用部材を使用して多段に積み上げたときの使用状態を示す（ａ）平面図、（ｂ）中央付近の拡大断面図である。
【符号の説明】
【００３８】
１    平面枠体
１１  第１垂直連結枠体
１２  第２垂直連結枠体
１３  第１回転連結枠体
１４  第２回転連結枠体
１５  延長枠体
１５ａ  第１延長継手
１５ｂ  第２延長継手
１６  積用部材
１６ａ  上部係合部
１６ｂ  下部係合部
１６ｃ  補強部
１６ｄ  当接部
２１  第１係合部
２２  第２係合部
２３  第１、第２垂直雄継手
２４  第１、第２、第３、第４垂直雌継手
２５  第１、第３接続継手
２６  第２、第４接続継手
２７  回転連結部
２７ａ  回転軸部
２８  突出部
２８ａ  係合孔
【図１】
0004778530.tif 000002
【図２】
0004778530.tif 000003
【図３】
0004778530.tif 000004
【図４】
0004778530.tif 000005
【図５】
0004778530.tif 000006
【図６】
0004778530.tif 000007
【図７】
0004778530.tif 000008
【図８】
0004778530.tif 000009
【図９】
0004778530.tif 000010
【図１０】
0004778530.tif 000011
【図１１】
0004778530.tif 000012